(57)【特許請求の範囲】
【請求項１】
ワイヤレス通信ネットワークの無線リソース管理エンティティ（２１０、２２０、３２０）にモバイル端末（３１０）についての情報を提供するための装置（１００）であって、
前記モバイル端末（３１０）の停止の期間の後に、前記モバイル端末（３１０）と前記ワイヤレス通信ネットワークとの間の新しい無線リソース制御接続が確立されると、前記モバイル端末（３１０）の無線リソース利用の過去の値または期待される値に基づいて、前記新しく確立された無線リソース制御接続のための無線リソース利用についての推定された情報（１１２、２１２）を提供するように動作可能な情報提供回路（１１０）
を含む装置（１００）。
【請求項２】
前記情報提供回路（１１０）は、前記モバイル端末（３１０）と前記ワイヤレス通信ネットワークとの間の以前の無線リソース制御接続に関係する無線リソース利用の情報を提供するように動作可能であり、前記以前の無線リソース制御接続は、前記確立された無線リソース制御接続に先行する請求項１に記載の装置（１００）。
【請求項３】
前記情報提供回路（１１０）は、前記モバイル端末（３１０）と前記ワイヤレス通信ネットワークとの間の前記以前の無線リソース制御接続の解放時に、前記以前の無線リソース制御接続に関係する前記無線リソース利用の情報（２１２）を格納するように動作可能である請求項２に記載の装置（１００）。
【請求項４】
前記情報提供回路（１１０）は、前記以前の無線リソース制御接続の解放時に、前記ワイヤレス通信ネットワークのモバイル移動性管理エンティティ（２００、３３０）に前記情報を提供し、前記モバイル移動性管理エンティティ（２００、３３０）のメモリ・デバイス（１１４）に前記情報（２１２）を格納し、前記無線リソース制御接続の確立時に前記モバイル端末（３１０）が接続される基地局（２１０、３２０）に前記格納された情報（２１２）の少なくとも一部を提供するように動作可能である請求項３に記載の装置（１００）。
【請求項５】
前記情報提供回路（１１０）は、基地局と前記ワイヤレス通信ネットワークのコアとの間の有線インターフェースを使用して、前記基地局（２１０、３２０）と前記モバイル移動性管理エンティティ（２００、３３０）との間で前記情報を信号送信するように動作可能である請求項４に記載の装置（１００）。
【請求項６】
前記情報提供回路（１１０）は、前記無線リソース制御接続の確立時に、無線リソース制御信号メッセージを介して、前記モバイル端末（３１０）から前記ワイヤレス通信ネットワークに、前記情報を提供するように動作可能である請求項１に記載の装置（１００）。
【請求項７】
前記情報提供回路（１１０）は、前記以前の無線リソース制御接続の解放時に、前記モバイル端末（３１０）のメモリ・デバイスに前記情報を格納し、前記無線リソース制御接続の確立時に、前記ワイヤレス通信ネットワークのネットワーク・エンティティ（２１０、２２０、３２０、３３０）に、前記格納された情報の少なくとも一部を提供するように動作可能である請求項６に記載の装置（１００）。
【請求項８】
前記情報提供回路（１１０）は、前記モバイル端末（３１０）と前記ワイヤレス通信ネットワークとの間の前記無線リソース制御接続の確立時に、前記モバイル端末（３１０）で実行されているアプリケーション・ソフトについての情報に基づいて前記情報を提供するように動作可能である請求項６に記載の装置（１００）。
【請求項９】
前記無線リソース利用についての推定された前記情報（１１２、２１２）は、以前の無線リソース制御接続の前記モバイル端末（３１０）のための無線リソース構成、前記以前の無線リソース制御接続で前記ワイヤレス通信ネットワークとの間で、前記モバイル端末がユーザに特有のデータを受信または送信しなかった停止期間を示す情報、または前記以前の無線リソース制御の接続中に前記モバイル端末が最後に訪問したセルを示す情報の少なくとも１つを含む請求項１に記載の装置（１００）。
【請求項１０】
請求項１に記載の装置を含む、ワイヤレス通信ネットワークのネットワーク・エンティティ（２００、２１０、３２０、３３０）。
【請求項１１】
請求項１に記載の装置を含む、ワイヤレス通信ネットワークのモバイル端末（３１０）。
【請求項１２】
ワイヤレス通信ネットワークの無線リソース管理エンティティ（２１０、２２０、３２０）であって、前記モバイル端末（３１０）の停止の期間の後に、前記モバイル端末（３１０）と前記ワイヤレス通信ネットワークとの間の新しい無線リソース制御接続が確立されると、前記モバイル端末（３１０）の無線リソース利用の過去の値または期待される値に基づいて、前記新しく確立された無線リソース制御接続のための無線リソース利用についての推定された情報（１１２、２１２）を受信し、前記受信した情報（１１２、２１２）に基づいて、モバイル端末に特有の無線リソース管理機能を実行するように動作可能である無線リソース管理エンティティ（２１０、２２０、３２０）。
【請求項１３】
前記無線リソース利用の前記推定を示す前記情報（１１２、２１２）は、以前の無線リソース制御接続において、前記モバイル端末がワイヤレス通信ネットワークとの間でユーザに特有のデータを受信または送信しなかった停止期間を示す情報を含み、前記無線リソース管理エンティティ（２１０、２２０、３２０）は、前記停止期間に基づいて前記モバイル端末（３１０）の停止期間の後に、不連続受信サイクルを構成するか、または前記確立された無線リソース制御接続の解放を開始するように動作可能である請求項１２に記載の無線リソース管理エンティティ（２１０、２２０、３２０）。
【請求項１４】
ワイヤレス通信ネットワークの無線リソース管理エンティティ（２１０、２２０、３２０）にモバイル端末についての情報を提供する方法であって、
前記モバイル端末（３１０）の停止の期間の後に、前記モバイル端末（３１０）と前記ワイヤレス通信ネットワークとの間の新しい無線リソース制御接続が確立されると、前記モバイル端末（３１０）の無線リソース利用の過去の値または期待される値に基づいて、前記新しく確立された無線リソース制御接続のための無線リソース利用の推定を示す情報（１１２、２１２）を提供するステップを含む方法。
【請求項１５】
前記コンピュータ・プログラムがコンピュータまたはプロセッサで実行されたときに、請求項１４の方法を実行するためのプログラム・コードを有するコンピュータ・プログラム。
【発明の詳細な説明】
【技術分野】
【０００１】
本発明の実施形態は、ワイヤレス通信に関し、より詳細には、無線リソース制御ＲＲＣ接続のセットアップおよび／または解放のときに、ワイヤレス通信ネットワークの無線リソース管理（ＲＲＭ）エンティティに、モバイル端末に特有の情報を提供することに関する。
【背景技術】
【０００２】
モバイル・サービスにおいて、より高いデータ転送速度に対する需要が着実に増加している。同時に、第３世代（３Ｇ）システムおよび第４世代（４Ｇ）システムとしての現在のモバイル通信システムは、より高いスペクトル効率を実現し、より高いデータ転送速度およびセル容量を可能にする拡張された技術を提供する。さらに、新しいサービスおよびサービス・タイプが継続的に導入されているため、現在および未来のモバイル・ネットワークのサービスおよび／またはアプリケーションの範囲および種類は拡大している。
【０００３】
現在のスマートフォンで実行できる、これらのサービスまたはアプリケーションは、たとえば、典型的にはかなり多様なデータ・トラフィック特性を持つ。たとえば、一部のサービス／アプリケーションは、バックグラウンド・トラフィックと見なすか、または分類することができる。そのようなバックグラウンド・トラフィックは、たとえば、長期間のトラフィック停止（たとえば数分の）によって特徴づけることができ、ここではユーザ・プレーン・データは、モバイル端末（３ＧＰＰ（第３世代パートナーシップ・プロジェクト）用語によるとユーザ機器（ＵＥ）とも呼ぶことができる）と、それが接続されているワイヤレス・ネットワークとの間で交換されず、その後に比較的短いトラフィック活動のバーストが続き（数秒）、ここでデータは、モバイル端末とワイヤレス・ネットワークとの間で交換される。他の普及しているサービス／アプリケーションは、複数のモバイル端末間のインスタント・メッセージングを含み、ここでインスタント・メッセージングは、中程度のデータ・パケット到着間の時間（たとえば数秒）、および低いデータ転送速度（たとえば平均３０〜１００バイト／秒）によって特徴づけることができる。現在および未来のワイヤレス・ネットワークのモバイル端末は、多様なデータ・アプリケーションを可能にしている可能性があり、ほとんどの時間、多様なデータ・アプリケーションから発せられるユーザ・トラフィックの伝達または受信のためのみにネットワークと通信していることになる。多様なデータ・アプリケーションを用いる多数のモバイル端末を扱うために、ワイヤレス通信ネットワークの無線リソース管理（ＲＲＭ）は、それぞれのアプリケーション特性を考慮に入れることができる。
【０００４】
様々なワイヤレス通信ネットワークにおいて、モバイル端末は、ＲＲＣ（無線リソース制御）接続を確立するための要求がワイヤレス・ネットワークに送信されるまで、いわゆるアイドル・モードにとどまる。アイドル・モードでは、無線ネットワークは、個々のモバイル端末についての情報を持たず、たとえば、無線セル内のすべてのモバイル端末またはページング機会を監視しているすべてのモバイル端末だけをアドレス指定し得る（ａｄｄｒｅｓｓ）。モバイル端末は、ＲＲＣ接続が確立されたときに、アイドル・モードから接続されたモードに移行することができ、ここでＲＲＣ接続は、モバイル端末のＲＲＣピア・エンティティと、たとえば、ＵＭＴＳ（ユニバーサル移動体通信システム）地上無線アクセス・ネットワーク（ＵＴＲＡＮ）または３ＧＰＰ（第３世代パートナーシップ・プロジェクト）Ｌｏｎｇ  Ｔｅｒｍ  Ｅｖｏｌｕｔｉｏｎ（ＬＴＥ）のエア・インターフェースである進化型ＵＭＴＳ地上無線アクセス・ネットワーク（ｅ−ＵＴＲＡＮ）など、ワイヤレス・ネットワークとの間のポイントツーポイントの双方向接続として規定することができる。
【０００５】
たとえば、ワイヤレス・ネットワークは、確立されたＲＲＣ接続を監視していない間にモバイル端末がダウンリンク受信機をオフにすることを可能にするＲＲＣ接続されたモード長の不連続受信（ＤＲＸ）機能を構成しながら、モバイル端末をＲＲＣ接続されたモードに維持することができる。ＤＲＸ手順では、モバイル端末でバッテリ電力の節約が可能になる。そのため、モバイル端末とネットワークは、データ転送が発生する段階または時間間隔を折衝する。他の時間には、モバイル端末は、低電力状態に入るためにその受信機をオフにすることができる。たとえば、ネットワークは、多様なアプリケーションのデータ・トラフィックまたはパケットの到着間時間を一致させるようにＤＲＸ期間を構成することができる。アプリケーションまたはデータ・トラフィックの追跡は通常、ワイヤレス・ネットワークで長時間にわたって構築される。したがって、サービス／アプリケーションに対してＲＲＣ接続が確立された後で、特定のモバイル端末のデータ・トラフィックのプロファイルを識別し、そして無線リソースを構成（例：ＤＲＸ構成）するためにいくらかの時間がかかる場合がある。ＲＲＣ接続されたモードにあるモバイル端末は、特にモバイル端末の移動により信号トラフィックを生じさせる（たとえば、ハンドオーバー信号、測定レポートなど）。さらに、多数の接続されたモバイル端末は、ネットワーク信号を生じさせる。信号トラフィックを扱うためのサーバ容量要件も、接続されたモバイル端末の数とともに増加する。したがって、ＲＲＣ接続されたモードにモバイル端末を維持することを決定するときは、モバイル端末のバッテリ消費、無線リソースの構成、および信号負荷を注意深く考慮に入れるべきである。
【０００６】
ネットワークは、所定期間のデータ・トラフィック停止の後、モバイル端末に対してネットワークで運転されているいわゆる休止タイマーの期限が切れた場合、または接続を解放するというネットワークの決定により、モバイル端末のＲＲＣ接続を解放することができる。たとえば、モバイル端末は、ボイス・オーバーＩＰ（ＶｏＩＰ）通話に対してＲＲＣ接続を開始することができ、ＶｏＩＰ通話が終了するときに、ネットワークは、モバイル端末のＲＲＣ接続を解放することができる。頻繁なデータ・トラフィックを用いるモバイル端末に対するＲＲＣ接続を解放すると、アイドリング−接続間の移行が頻繁に発生し、これはかなりの量のネットワーク信号につながる可能性がある。
【０００７】
ネットワークは、モバイル端末のデータ・トラフィックを追跡し、データ・トラフィック特性に関する情報を持つことができるが、無線ネットワークのモバイル端末に特有の情報は、ＲＲＣ接続解放のとき、つまり少し前または後に削除される。すなわち、ある期間の停止の後にＵＥが新しい接続を確立した場合、モバイル端末のサポートされたソフトウェア・アプリケーションが、ＲＲＣ接続解放と次のＲＲＣ接続セットアップとの間で変更されなかったとしても、ネットワークには、モバイル端末のトラフィック特性についての情報がなく、よって、トラフィック・プロファイルを識別するために、ネットワークがユーザ・トラフィックを再び追跡するまで、無線リソースの最適な構成は可能ではない。
【発明の概要】
【課題を解決するための手段】
【０００８】
本発明の１つの発見は、多様なデータ・アプリケーション／サービスを用いるモバイル端末に対する無線リソースの効率的な割り当ておよび無線管理のための新しいＲＲＣ接続の確立時に、ワイヤレス通信ネットワークが、モバイル端末のデータ・トラフィックおよび／または移動性プロファイルについての情報を既に持っていることは有益な場合があるということである。以下において、モバイル端末のデータ・トラフィックおよび／または移動性プロファイルは、また、モバイル端末の無線リソース利用についての情報と呼ばれる。本発明の実施形態は、モバイル端末とワイヤレス・ネットワークとの間の新しいＲＲＣ接続の確立において、またはそのときに、たとえば基地局など、対応するネットワーク要素にモバイル端末の過去または未来の無線リソース利用についての情報を提供することを提案する。そのため、提供される無線リソース利用情報、たとえばトラフィック／ＵＥのプロファイルは、以前のＲＲＣ接続の無線リソース利用に基づいてもよいか、またはＲＲＣ接続確立において、モバイル・デバイスで実行されていた（様々な）ソフトウェア・アプリケーションに関する情報に基づいた期待される無線リソース利用の場合がある。よって、提供された情報は、過去の値または期待される値に基づいて、新しく確立されたＲＲＣ接続に対する無線リソース利用の推定を示している。
【０００９】
よって、本発明の第１の態様によると、ワイヤレス通信ネットワークの無線リソース管理（ＲＲＭ）エンティティにモバイル端末についての情報を提供するための装置が提供される。装置は、モバイル端末とワイヤレス通信ネットワークとの間に新しいＲＲＣ接続が確立されると、その後に（新しく）確立されたＲＲＣ接続とも呼ばれる、確立される新しいＲＲＣ接続のための無線リソース利用の推定を示す情報を提供するための手段を含む。言い換えると、モバイル端末とワイヤレス通信ネットワークとの間の新しいＲＲＣ接続の確立の前、間、または直後に、新しく確立されたＲＲＣ接続のための無線リソース利用の推定を示す情報をＲＲＭエンティティに提供することができる。
【００１０】
そのため、ＲＲＭエンティティは、ワイヤレス・ネットワークに接続された１つまたは複数のモバイル端末の無線リソース管理（ＲＲＭ）、特に動的なＲＲＭを扱うことができる集中型または分散型のネットワーク・エンティティと見なすことができる。たとえば、ＲＲＭエンティティは、たとえばモバイル端末にサービスを提供する基地局など、無線アクセス・ネットワーク（ＲＡＮ）要素と同じ場所を共用するか、またはそれに結合することができる。動的なＲＲＭ方式は、トラフィック負荷、ユーザの位置、サービスの品質の要件などに対して無線ネットワーク・パラメータを適応するように調整する。一般的に、ＲＲＭは、ワイヤレス通信システムにおいて同一チャネル干渉および他の無線伝送特性のシステム・レベルの制御を扱うことができる。ＲＲＭは、送信電力、チャネル割り当て、データ転送速度、ハンドオーバー基準、変調方式、エラー・コード体系など、様々なパラメータを制御するための戦略およびアルゴリズムを含む。特に、ＲＲＭまたはＲＲＭエンティティは、また、基地局で使用されるいわゆる休止タイマーを扱うことができる。たとえば、ＲＲＣアイドル・モードのモバイル端末で実行されているソフトウェア・アプリケーションがデータ・パケットを送信または受信する必要がある場合、モバイル端末は、複数のＲＲＣ信号メッセージを使用して、ワイヤレス通信ネットワークへのアクティブな無線周波数接続を取得するために、ＲＲＣ接続（つまりＲＲＣ接続されたモード）を要求することができる。最後のデータ・パケットが送信または受信された後、ワイヤレス通信ネットワーク、またはそのＲＲＭエンティティは、ＲＲＣ接続を解放し、休止タイマーの期限が切れた後、モバイル端末はＲＲＣアイドル状態に移行する。そのため、休止タイマーは、ネットワーク・オペレータによって典型的には５から３０秒の範囲に設定される。追加のパケットが休止またはアイドル状態のモバイル・デバイスへの伝達を必要とする場合、新しいＲＲＣ接続が必要であり、信号プロセスが再び開始される。しかし、本発明の実施形態によると、前述の休止タイマーは、無線リソース利用の推定を示す提供された情報に基づいて、ネットワークとモバイル端末との間の新しく確立されたＲＲＣ接続について個々に設定することができる。
【００１１】
よって、本発明の他の態様によると、また、ワイヤレス通信ネットワークのＲＲＭエンティティが提供され、ここでＲＲＭエンティティは、モバイル端末とワイヤレス通信ネットワークとの間の新しく確立されたＲＲＣ接続に対する無線リソース利用の推定を示す提供された情報に基づいて、モバイル端末に特有のＲＲＭ機能またはアルゴリズムを実行するように動作可能である。そのため、無線リソース利用情報は、たとえば移動性管理エンティティ（ＭＭＥ）など、たとえばコア・ネットワーク（ＣＮ）エンティティなど、他のネットワーク・エンティティから、または前述のＲＲＣ接続の確立時にモバイル端末によって、ＲＲＭエンティティに提供された可能性がある。言い換えると、無線リソース管理エンティティは、モバイル端末とワイヤレス通信ネットワークとの間の新しいＲＲＣ接続の確立時に、確立されるＲＲＣ接続に対する無線リソース利用の推定を示す情報を受信するように、および受信された情報に基づいて、モバイル端末に特有の無線リソース管理の機能を実行するように動作可能な場合がある。
【００１２】
たとえば、無線リソース利用の推定を示す情報は、以前のＲＲＣ接続において、モバイル端末がワイヤレス通信ネットワークとの間でユーザに特有のデータを受信または送信しなかった停止期間を示す情報を含むことができる（停止タイマー）。データ・トラフィック・プロファイルに含まれている、そのような停止期間に基づいて、ＲＲＭエンティティは、モバイル端末について、たとえば、ＤＲＸ停止タイマー、オン期間タイマー、ＤＲＸサイクルなど、ＤＲＸパラメータを個々に調整するように動作可能な場合がある。あるいは、または加えて、ＲＲＭエンティティは、前述の停止期間に対応するモバイル端末の停止期間の後に、確立されたＲＲＣ接続の解放を開始することができる。すなわち、ワイヤレス通信ネットワーク、またはそのＲＲＭエンティティは、ＲＲＣ接続を解放し、信号送信されたモバイル端末に特有の期間、つまり休止タイマーの期限が切れた後のみ、モバイル端末はＲＲＣアイドル状態に移行する。要約すると、ＲＲＭエンティティは、よって、モバイル端末がＲＲＣ接続を監視する必要がなく、よってバッテリ電力を節約できるときに、停止の期間または状態を指定するＲＲＭ停止タイマー値を調整することができる。言い換えると、ＲＲＭエンティティは、前述の停止期間に基づいてモバイル端末の停止期間の後に、ＤＲＸサイクルを構成するか、または確立されたＲＲＣ接続の解放を開始するように動作可能な場合がある。
【００１３】
よって、本発明の実施形態は、ネットワーク側の短すぎかつ固定的に設定された休止タイマー値による前述の重いＲＲＣ信号負荷を回避することができる。ここで、提供される無線リソース利用の推定に基づいて、個々のモバイル端末の特定のデータ・トラフィック・プロファイルに合わせて調整された休止タイマーを決定することができる。
【００１４】
様々な実施形態により、ワイヤレス通信ネットワークは、たとえば、ユニバーサル移動体通信システム（ＵＭＴＳ）、グローバル・システム・フォー・モバイル・コミュニケーションズ（ＧＳＭ）もしくＧＳＭ進化型高速データレート（ＥＤＧＥ：Ｅｎｈａｎｃｅｄ  Ｄａｔａ  Ｒａｔｅｓ  ｆｏｒ  ＧＳＭ  Ｅｖｏｌｕｔｉｏｎ）ネットワーク、ＧＳＭ／ＥＤＧＥ無線アクセス・ネットワーク（ＧＥＲＡＮ）、Ｌｏｎｇ−ｔｅｒｍ  Ｅｖｏｌｕｔｉｏｎ（ＬＴＥ）またはＬＴＥ−Ａｄｖａｎｃｅｄ（ＬＴＥ−Ａ）など、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）もしくはＥｖｏｌｖｅｄ  ＵＴＲＡＮ（Ｅ−ＵＴＲＡＮ）として、第３世代パートナーシップ・プロジェクト（３ＧＰＰ）により標準化されたセルラー方式の１つに対応することができる。一般的に、符号分割多元接続（ＣＤＭＡ）、直交周波数分割多元接続（ＯＦＤＭＡ）、周波数分割多元接続（ＦＤＭＡ）、時分割多元接続（ＴＤＭＡ）などの少なくとも１つに基づく任意のシステム。以下において、ワイヤレス通信システム、セルラー方式／ネットワークという用語は、区別なく使用される。
【００１５】
したがって、ワイヤレス通信ネットワークに依存して、基地局は、ノードＢ、ｅＮｏｄｅＢ、アクセス・ポイントなどに対応することができる。基地局は、１つまたは複数の周波数レイヤにおいて複数のセルを運用することができ、一部の実施形態では、セルはセクタに対応することができる。たとえば、セクタは、セクタ・アンテナを使用して実現することができ、これはリモート・ユニットまたは基地局の周りの角度のある区域を対象とするための特性を提供する。
【００１６】
様々な実施形態において、モバイル端末は、上記のネットワークの１つのモバイルまたはワイヤレス端末の送受信装置に関連するか、または結合することができる。つまり、モバイル端末は、スマートフォン、セル式電話、ユーザ機器、ラップトップ、ノートブック、パーソナル・コンピュータ、携帯情報端末（ＰＤＡ）、ユニバーサル・シリアル・バス（ＵＳＢ）スティック、自動車などに対応することができる。
【００１７】
さらに、無線リソースという用語は、周波数リソース、帯域幅、キャリア、サブキャリア、時間リソース、無線フレーム、タイムスロット、記号、サブフレーム、時間送信間隔（ＴＴＩ）、コード・リソース、アナログ波変調（ＡＳＭ：Analog Spectrum Modulation）記号、デジタル波変調（ＤＳＭ：Digital Spectrum Modulation）記号、周波数偏移変調（ＦＳＫ）記号、位相偏移変調（ＰＳＫ）記号、パルス符号変調（ＰＣＭ）記号、４値振幅変調（ＱＡＭ：Quaternary Amplitude Modulation）記号、周波数ホッピング・スペクトル拡散（ＦＨＳＳ）シーケンス、直接シーケンス・スペクトル拡散（ＤＳＳＳ）シーケンス、などのグループの要素または要素の組み合わせとして理解することができる。実施形態では、複数の無線リソースは、したがって、時間リソース、周波数リソース、コーディング・リソース、または送信技術のグループの１つまたは組み合わせに対応することができる。たとえば、データ無線ベアラ（ＤＲＢ）は、また、物理的な無線リソースの組み合わせを含み、よって、無線リソース自体と見なすことができる。
【００１８】
本発明の一部の実施形態では、新しく確立されたＲＲＣ接続のための無線リソース利用の推定を示す提供された情報は、モバイル端末とネットワークとの間の以前、つまり過去のＲＲＣ接続の無線リソース利用についての情報を含むことができ、モバイル端末とネットワークとの間の新しいＲＲＣ接続の確立の前に、以前のＲＲＣ接続は、確立され解放されている。すなわち、情報を提供するための手段は、モバイル端末とワイヤレス通信ネットワークとの間の以前のＲＲＣ接続に関係する無線リソース利用の情報を提供するように動作可能な場合があり、ここで以前のＲＲＣ接続は、確立されたＲＲＣ接続に先行する。
【００１９】
無線利用についての情報は、以前のＲＲＣ接続の間にモバイル端末のための無線リソース構成の少なくとも１つを示すモバイル端末に特有のデータ・トラフィックおよび／または移動性プロファイル、以前のＲＲＣ接続において、モバイル端末がワイヤレス通信ネットワークとの間でユーザに特有のデータを受信または送信しなかった停止期間を示す情報（ＵＥ停止時間）、または以前のＲＲＣ接続中にワイヤレス通信ネットワークのモバイル端末が最後に訪問したセルを示す情報（移動性プロファイル）を含むことができる。たとえば、移動性プロファイルは、休止タイマーを設定するために使用できるため、確立されたＲＲＣ接続中に信号集約的なハンドオーバーを回避することができる。これは特に、高速に移動するモバイル端末にとって有益な場合がある。
【００２０】
本発明の一部の実施形態では、情報を提供するための手段は、モバイル端末とワイヤレス通信ネットワークとの間の以前のＲＲＣ接続の解放時、つまりその間または後に、以前のＲＲＣ接続に関係する無線リソース利用の情報を格納するように動作可能である。格納は、ネットワーク側またはモバイル端末の側で行うことができる。すなわち、コア・ネットワーク要素、基地局、またはＭＭＥなどのネットワーク・エンティティは、以前のＲＲＣ接続の解放時に以前のＲＲＣ接続に関係する無線リソース利用についての情報を格納することができるか、またはモバイル端末は、前述の情報を格納することができる。格納はまた、２つ以上の以前のＲＲＣ接続の無線リソース利用情報を含む無線リソース利用情報を更新または平均することを含むことができる。この方法で、複数の以前の無線リソース利用パラメータの（加重）平均を決定することが可能である。
【００２１】
この第１の場合について（つまり、情報はネットワーク側で格納される）、情報を提供するための手段は、以前のＲＲＣ接続の解放時に、ワイヤレス通信ネットワークのネットワーク・エンティティ（ＭＭＥなど）に情報を提供し、ネットワーク・エンティティ（たとえばＭＭＥ）のメモリ・デバイスに前述の情報を格納して、ＲＲＣ接続の確立時に、格納された情報の少なくとも一部をモバイル端末が接続されている基地局に提供するように動作可能な場合がある。よって、この場合、ＲＲＭエンティティにモバイル端末についての情報を提供するための装置は、たとえば、コア・ネットワーク要素、基地局、および／またはＭＭＥなど、ワイヤレス通信ネットワークの１つまたは複数のネットワーク・エンティティによって含まれる場合がある。そのため、ＭＭＥは、ＬＴＥアクセス・ネットワークの主な制御ノードである。たとえば、それは、再送信を含む、アイドル・モードのＵＥの追跡およびページングの手順を担当する。それはベアラのアクティブ化／非アクティブ化のプロセスに関係し、最初の接続時、およびコア・ネットワーク（ＣＮ）ノードの再配置を含むＬＴＥ内ハンドオーバーのときに、ＵＥに対してサービスを提供するゲートウェイ（ＳＧＷ）を選ぶことも担当する。また、それはユーザを認証することを担当する。
【００２２】
情報がＭＭＥに格納されている場合、情報を提供するための手段は、また、基地局とワイヤレス通信ネットワークのコアとの間の有線インターフェースを使用して、基地局とＭＭＥエンティティとの間の無線リソース構成情報を信号送信するように動作可能な場合がある。ＬＴＥでは、たとえば、この目的のためにＳ１インターフェースを使用することができる。よって、提供するための手段は、メモリあるいはストレージおよび／またはネットワーク要素間のインターフェースを含むことができる。
【００２３】
ネットワーク側で、以前のＵＥに特有のデータ・トラフィックおよび／または移動性プロファイルなど、以前のＲＲＣ接続に関係する無線リソース利用についての情報を格納することは、有線のインターフェースを通じてネットワーク要素間の信号送信だけが必要であるという長所を持つ場合がある。よって、既存のＵＥまたは既存のエア・インターフェースへの修正は必須ではない。さらに、いずれにしてもＲＲＣ接続されたＵＥの無線リソース利用の追跡によりＲＲＣ接続解放前にネットワークで認識されているので、無線リソース利用情報は、ネットワークに容易に格納することができる。ネットワーク・ベースの概念は、ネットワーク要素間の信号送信のみを含むため、ＵＥに影響を与えることなく格納されるように追加的な信号パラメータ（複数可）を導入することが可能である。
【００２４】
しかし、本発明の他の実施形態は、また、モバイル端末からワイヤレス通信ネットワークへの新しいＲＲＣ接続の確立時に、新しく確立されたＲＲＣ接続のための無線リソース利用の推定を示す情報の提供を含む。たとえば、ＵＥ／トラフィック・ファイルは、以前のＲＲＣ接続のＲＲＣ接続解放時にモバイル端末に格納することができる。そのため、それぞれの情報はモバイル自体に存在してもよく、またはダウンリンク・ネットワーク信号によって提供してもよい。新しいＲＲＣ接続の確立時に、ＵＥは、格納されたＵＥ／トラフィックのプロファイル情報をたとえば基地局に伝達することができる。後者の情報は、ＵＥに対する無線リソースの最適な構成のために基地局または接続されたＲＲＭによって使用することができる。この場合、ワイヤレス通信ネットワークのＲＲＭエンティティにモバイル端末についての情報を提供するための装置は、したがって、モバイル端末自体に含まれてもよい。
【００２５】
前述の場合について、つまり、以前のＲＲＣ接続に関係する無線リソース利用についての情報が、モバイル端末側に格納されている場合、情報を提供するための手段は、新しいＲＲＣ接続の確立時に１つまたは複数のＲＲＣ信号メッセージ（またはその部分）を介して、モバイル端末からワイヤレス通信ネットワークに前述の情報を提供するように動作可能な場合がある。情報を提供するための手段は、また、以前のＲＲＣ接続の解放時に、モバイル端末のメモリ・デバイスに以前のＲＲＣ接続の情報を格納し、新しいＲＲＣ接続の確立時に、ワイヤレス通信ネットワークのネットワーク・エンティティに格納された情報の少なくとも一部を提供するように動作可能な場合がある。無線リソース利用情報を格納するために、たとえばＦＬＡＳＨメモリなど、モバイル端末に統合されたストレージを使用することができる。
【００２６】
本発明の他の態様によると、モバイル端末は、また、モバイル端末で実行されているアプリケーションに関係する情報に基づいて、新しいＲＲＣ接続の確立時に期待されるデータ・トラフィック・プロファイル、およびＲＲＣ接続の確立時にそれらの関連する期待されるデータ・トラフィック・パターン（複数可）を提供することができる。ここで、無線リソース利用の推定を示す情報を提供するための手段は、したがって、モバイル端末とワイヤレス通信ネットワークとの間のＲＲＣ接続の確立時に、モバイル端末で実行されているアプリケーション・ソフトについての情報に基づいて、前述の情報を提供するように動作可能な場合がある。
【００２７】
ＲＲＣ接続確立時にモバイル端末からネットワークに情報を伝達するために、モバイル端末からワイヤレス通信ネットワークへの無線リソース利用の推定を示す情報の提供に該当する後者の２つの態様は両方、無線インターフェースを通じて対応する新しいＲＲＣ信号送信（フィールド）を必要とする。
【００２８】
さらに他の態様によると、ワイヤレス通信ネットワークのＲＲＭエンティティにモバイル端末についての情報を提供するための方法が提供され、方法は、モバイル端末とワイヤレス通信ネットワークとの間のＲＲＣ接続の確立時に、確立されたＲＲＣ接続のための無線リソース利用の推定を示す情報を提供するステップを含む。そのため、以前に説明したように、提供するステップは、ネットワーク・エンティティまたはモバイル端末のいずれかによって実行することができる。他のステップでは、モバイル端末に特有の無線リソース管理は、たとえば、休止タイマーに関して、無線リソース利用の推定を示す提供された情報に基づいて実行することができる。後者のステップは、たとえば基地局に結合されたＲＲＭエンティティとして、ネットワーク・エンティティによって実行することができる。
【００２９】
一部の実施形態は、方法またはそのステップを実行するための装置内に設置されたデジタル制御回路を含む。そのようなデジタル制御回路、たとえばデジタル信号プロセッサ（ＤＳＰ）は、それに応じてプログラムする必要がある。よって、さらに他の実施形態は、また、コンピュータまたはデジタル・プロセッサでコンピュータ・プログラムが実行されたときに、方法の実施形態を実行するためのプログラム・コードを持つコンピュータ・プログラムを提供する。本発明の実施形態は、最適な無線リソース構成および無線リソース管理を可能にする。これは、多様なデータ・アプリケーションを用いる多数の高性能ＵＥをワイヤレス・ネットワークでサポートする必要がある場合に特に重要である。実施形態は、効率的なリソース割り当て、改善されたＵＥ電力の節約、信号負荷の軽減を実現することができる。
【００３０】
装置および／または方法の一部の実施形態について、例示のみを目的として、添付の図面に関して以下に記述する。
【図面の簡単な説明】
【００３１】
【図１】一実施形態による、ワイヤレス通信ネットワークのＲＲＭエンティティにモバイル端末についての情報を提供するための装置を示す略ブロック図である。
【図２】一実施形態による、確立されたＲＲＣ接続のための無線リソース利用の格納された推定を示す情報を基地局に提供するＭＭＥを示す略ブロック図である。
【図３ａ】実施形態による、ＲＲＣ接続の確立および解放を示すメッセージ・シーケンス図である。
【図３ｂ】実施形態による、ＲＲＣ接続の確立および解放を示すメッセージ・シーケンス図である。
【図４】一実施形態による、確立されたＲＲＣ接続のための無線リソース利用の推定を示す情報を基地局に提供するモバイル端末を示す略ブロック図である。
【図５ａ】さらに他の実施形態による、ＲＲＣ接続の確立および解放を示すメッセージ・シーケンス図である。
【図５ｂ】さらに他の実施形態による、ＲＲＣ接続の確立および解放を示すメッセージ・シーケンス図である。
【発明を実施するための形態】
【００３２】
ここで、様々な例示的実施形態について、一部の例示的実施形態を示した添付図面に関してより完全に記述する。図において、線の太さ、レイヤ、および／または領域は、明瞭さのために誇張している場合がある。
【００３３】
したがって、例示的実施形態は、様々な変更および代替形式が可能であり、その実施形態は、一例として図面に示され、本明細書に詳細に記述されるだろう。しかし、例示的実施形態を開示された特定の形式に制限する意図はなく、それとは反対に、例示的実施形態は、本発明の範囲内にある変更、等価物、および代替案をすべて包含することを理解するべきである。同様の番号は、図の記述の全体にわたって類似または同様の要素を表している。
【００３４】
要素が他の要素に「接続される（ｃｏｎｎｅｃｔｅｄ）」または「結合される（ｃｏｕｐｌｅｄ）」と言及された場合、他の要素に直接的に接続または結合することが可能であり、または介在する要素が存在する場合があることを理解されるだろう。これとは対照的に、要素が他の要素に「直接的に接続される（ｄｉｒｅｃｔｌｙ  ｃｏｎｎｅｃｔｅｄ）」または「直接的に結合される（ｄｉｒｅｃｔｌｙ  ｃｏｕｐｌｅｄ）」と言及された場合、介在する要素は存在しない。要素間の関係を記述するために使用される他の言葉は、同様に解釈されるべきである（たとえば、「の間（ｂｅｔｗｅｅｎ）」と「直接的に間に（ｄｉｒｅｃｔｌｙ  ｂｅｔｗｅｅｎ）」、「隣接する（ａｄｊａｃｅｎｔ）」と「直接的に隣接する（ｄｉｒｅｃｔｌｙ  ａｄｊａｃｅｎｔ）」など）。
【００３５】
本明細書に使用する用語は、特定の実施形態についてのみ記述することを目的とするものであり、例示的実施形態に限定することを意図するものではない。本明細書に使用する場合に、単数形の「１つの（ａ）」「１つの（ａｎ）」、および「その（ｔｈｅ）」は、そうでないことが文脈に明白に示されていない限り、複数形も含むことが意図される。本明細書に使用する場合、「ｃｏｍｐｒｉｓｅ（含む）」、「ｃｏｍｐｒｉｓｉｎｇ（含んでいる）」、「ｉｎｃｌｕｄｅ（含む）」、および／または「ｉｎｃｌｕｄｉｎｇ（含んでいる）」という用語は、記述された機能、整数、ステップ、動作、要素、および／または構成要素の存在を示すものであるが、１つまたは複数の他の機能、整数、ステップ、動作、要素、構成要素、および／またはそれらのグループの存在や追加を排除するものではないことをさらに理解されるだろう。
【００３６】
特に定義しない限り、本明細書に使用するすべての用語（技術用語および科学用語を含む）は、例示的実施形態が属する当業者によって一般的に理解されるものと同じ意味を持っている。用語、たとえば一般に使用される辞書に規定されているものは、関連する技術分野の文脈における意味に一致する意味を持つものと解釈するべきであり、特に本明細書に明示的に規定されていない限り、理想化された、または過度に形式的な意味で解釈されるものではないことをさらに理解されるだろう。
【００３７】
現在のＬＴＥ標準によると、ネットワークは、ＲＲＣ接続されたモバイル端末またはＵＥのためにデータ・トラフィックおよび／または移動性プロファイルの追跡を実行することができる。また、ネットワークは、関連するＲＲＣ接続されたＵＥのユーザ・プレーン・トラフィックの活動または停止を監視するために、サービスを提供する基地局またはｅＮｏｄｅＢで休止タイマーを使用することができる。ネットワーク側の休止タイマーまたはＤＲＸ設定は実装依存であり、異なる基地局のベンダーは、異なる値またはパラメータを使用することができる。
【００３８】
ソース・セルからターゲット・セルへのＵＥのハンドオーバーの準備において、ソース・セルのサービスを提供する基地局は、最適な無線リソース構成および無線管理を用いてターゲット基地局を支援するために、ターゲット基地局に、ＵＥに特有の無線リソース利用情報を信号送信することができる。ソース・セルで使用される無線リソース構成は、宛先またはターゲットの基地局に通信することができる。さらに、モバイル端末がユーザ・データを受信または送信しなかった停止期間（ＵＥ停止時間）は、また、ターゲット・セルに通信することができる。これは、ある期間、ＵＥが休止つまり停止していた場合、またはＤＲＸパラメータ設定を構成するために、ＲＲＣ接続を解放するべきときを推定するために主に使用することができる。さらに、モバイル端末の履歴情報、モバイル端末が最後に訪問したセル（複数可）、およびモバイル端末が訪問したセル（複数可）に滞在した時間は、また、ハンドオーバーの間にターゲット基地局に伝播することができる。後者の情報は、モバイル端末の移動性プロファイルを推定するターゲット基地局によって使用することができる。よって、無線リソース構成、停止期間もしくデータ・トラフィック・プロファイルの少なくとも１つ、またはモバイル端末の移動性プロファイルは、端末に特定の無線リソース利用情報を形成するために使用することができる。たとえばＬＴＥなど、現在のワイヤレス通信ネットワークでは、しかし、モバイル端末のＲＲＣ接続が解放され、ＲＲＣ接続からＲＲＣアイドル・モードにモバイル端末が移行した場合、モバイル端末に特有の無線リソース利用情報はすべてネットワークで解放される。言い換えると、データ停止期間など、モバイル端末に特有の無線リソース利用情報は捨てられ、よって、前述のモバイル端末のためのＲＲＣ接続が解放されたら、ネットワークによって使用されない場合がある。
【００３９】
しかし、本発明の様々な実施形態は、モバイル端末とワイヤレス通信ネットワークとの間の次のＲＲＣ接続に関係する特定のＲＲＭパラメータ設定を改善するために、１つまたは複数の以前のＲＲＣ接続のモバイル端末に特有の無線リソース利用情報の少なくとも一部を使用することを提案する。よって、１つまたは複数の以前のＲＲＣ接続のモバイル端末に特有の無線リソース利用情報は、次に確立されたＲＲＣ接続のための無線リソース利用の推定または基礎として使用することができる。たとえば、基地局内のまたは基地局に結合されたＲＲＭエンティティは、その推定に基づいて、休止タイマーおよび／またはＤＲＸ構成など、モバイル端末に特有のＲＲＭパラメータを設定することができる。
【００４０】
この目的のために、図１に概略的に示しているように、本発明の実施形態は、ワイヤレス通信ネットワークのＲＲＭエンティティにモバイル端末についての情報を送るための装置１００を提供する。装置１００は、モバイル端末とワイヤレス通信ネットワークとの間に新しいＲＲＣ接続が確立されたときに、新しく確立されたＲＲＣ接続のための無線リソース利用の推定を示す情報１１２を提供するための手段１１０を含む。そのため、無線リソース利用情報１１２は、信号メッセージまたはその部分を使ってＲＲＭエンティティに提供することができる。信号メッセージは、異なるネットワーク要素間、または基地局などのネットワーク要素とモバイル端末との間で交換することができる。
【００４１】
一部の実施形態によると、その推定は、モバイル端末とワイヤレス通信ネットワークとの間の過去または以前のＲＲＣ接続の無線リソース利用情報に基づいている場合がある。よって、情報１１２を提供するための手段１１０は、モバイル端末とワイヤレス通信ネットワークとの間の１つまたは複数の以前のＲＲＣ接続に関係する無線リソース利用情報を提供するように動作可能な場合があり、ここで以前のＲＲＣ接続は、新しいまたは現在の確立されたＲＲＣ接続に先行する。上に記述したように、少なくとも１つの以前のＲＲＣ接続の無線リソース利用情報１１２は、モバイル端末に特有のデータ・トラフィック・プロファイルおよび／または移動性プロファイルを含むことができる。データ・トラフィック・プロファイルは、解放された以前のＲＲＣ接続において、モバイル端末がワイヤレス通信ネットワークとの間でユーザに特有のデータを受信または送信しなかった停止期間を示す情報を再び含むことができる。そのような停止期間情報は、モバイル端末にＲＲＭ機能またはアルゴリズムを個々に適応させるために、たとえば、休止タイマー値および／またはＤＲＸ期間を個々に設定するために使用することができる。
【００４２】
情報１１２を提供するための手段１１０は、モバイル端末とワイヤレス通信ネットワークとの間の以前のＲＲＣ接続の解放時に、以前のＲＲＣ接続に関係する無線リソース利用の情報１１２を格納またはバッファリングするために、ストレージまたはメモリ１１４を含むか、またはそれに結合することができる。そのため、ストレージは、少なくともモバイル端末の連続する２つのＲＲＣ接続間に前述の情報１１２を格納するように適応される。
【００４３】
装置１００は、ワイヤレス通信ネットワークの１つまたは複数のネットワーク要素に実装することができる。一実施形態によると、装置１００は、たとえばｅＮｏｄｅＢなどの基地局に実装することができる。例として図２に示す他の実施形態によると、装置１００は、ワイヤレス・ネットワークのＭＭＥ２００に実装することができる。
【００４４】
図２は、ネットワークとモバイル端末との間の先行するＲＲＣ接続に関係するモバイル端末に特有の無線リソース利用情報１１２を格納するための記憶媒体１１４を有する手段１１０を含むＭＭＥ２００を示している。コア・ネットワーク（ＣＮ）エンティティであるＭＭＥ２００は、基地局２１０の形でＲＡＮエンティティをインターフェースし、これは、たとえば、休止タイマー、ＤＲＸタイミング、トラフィック負荷、ユーザ位置、サービスの品質の要件など、無線ネットワーク・パラメータを調整するための基地局に特有のＲＲＭエンティティ２２０を再び含む。そのため、１つまたは複数の無線ネットワーク・パラメータは、格納されたモバイル端末に特有の無線リソース利用情報１１２に基づいて調整することができ、これはモバイル端末と基地局２１０との間のＲＲＣ接続の確立時に、たとえばＬＴＥネットワークのＳ１インターフェースなど、ネットワーク要素間のインターフェース２３０を介してＭＭＥ２００から基地局２１０に転送することができる。よって、情報を提供するための手段１１０は、基地局２１０とワイヤレス通信ネットワークのコア、つまりコア・ネットワークとの間の有線インターフェースを使用して、基地局２１０とＭＭＥ２００との間で情報１１２を信号送信するように動作可能な場合がある。
【００４５】
少なくとも１つの先行するＲＲＣ接続に関係する転送された情報１１２に基づいて、基地局２１０のＲＲＭエンティティ２２０は、たとえば休止タイマーまたはＤＲＸパラメータなど、新しく確立されたＲＲＣ接続のためのＵＥに特有の無線ネットワーク・パラメータを個々に調整することができる。ＲＲＭエンティティ２２０は、モバイル端末と基地局２１０との間の新しく確立されたＲＲＣ接続のための無線リソース利用推定１１２に基づいて、新しく確立されたＲＲＣ接続のためのモバイル端末に特有の無線リソース管理を実行するように動作可能な場合があり、ここで情報１１２は、前述のＲＲＣ接続の確立時にＭＭＥ２００からＲＲＭエンティティ２２０に提供された場合がある。一部の実施形態によると、無線リソース利用の推定を示す情報１１２は、少なくとも１つの以前のＲＲＣ接続において、モバイル端末がワイヤレス通信ネットワークとの間でユーザに特有のデータを受信または送信しなかった停止期間を示すデータ・トラフィック情報を含むことができる。ＲＲＭエンティティ２００は、前述の以前の停止期間に対応するモバイル端末の停止期間の後に、確立されたＲＲＣ接続の解放を開始するために、データ・トラフィック情報推定１１２に基づいて、たとえば、休止タイマー値またはＤＲＸ期間を調整するように動作可能な場合がある。
【００４６】
新しい（つまり現在の）ＲＲＣ接続の解放の直前または後に、基地局２１０で利用可能であり、ＲＲＣ接続されたモバイル端末を追跡することによって得られた可能性がある、対応する最新の無線リソース利用情報２１２は、ネットワーク要素間のインターフェース２３０を介してＭＭＥ２００のストレージ１１４に転送し戻すことができる。このようにして、少し前に解放されたＲＲＣ接続の格納された無線リソース利用情報２１２は、ネットワークとモバイル端末との間の次に来るＲＲＣ接続のための無線リソース利用の推定を示す情報１１２として使用することができる。よって、情報１１２、２１２を提供するための手段１１０は、以前のＲＲＣ接続の解放時に、ワイヤレス通信ネットワークのＭＭＥ２００に情報２１２を提供し、ＭＭＥ２００のメモリ・デバイス１１４に前述の情報２１２を格納し、前述のモバイル端末との次のＲＲＣ接続の確立時に、モバイル端末が接続されている基地局２１０に、格納された情報１１２、２１２の少なくとも一部を提供するように動作可能な場合がある。
【００４７】
図３ａは、モバイル端末３１０と、たとえば基地局などのＲＡＮエンティティ３２０との間の例示的なＲＲＣ接続確立のメッセージ・シーケンス図３００を示している。
【００４８】
たとえば、ＲＲＣアイドル・モードであるモバイル端末３１０で実行されているソフトウェア・アプリケーションが、データ・パケットを送信または受信する必要がある場合、モバイル端末３１０は、ＲＲＣ接続要求メッセージ３１２を用いてＲＲＣ接続を要求することができる。このＲＲＣ接続要求メッセージ３１２について、ＲＡＮ３２０は、ＲＲＣ接続セットアップ・メッセージ３２２で応答し、モバイル端末３１０の最後のＲＲＣ接続の格納されたデータ・トラフィック・プロファイルを要求することができる（参照番号３２４を参照）。モバイル端末３１０がＲＲＣ接続セットアップを終了させると、ＲＲＣ接続セットアップ完了メッセージ３１４を介して承認する。モバイル端末のＲＲＣ接続セットアップ完了メッセージ３１４の受信の前または後に、たとえばＭＭＥなどコア・ネットワーク・エンティティ３３０は、ネットワークとモバイル端末３１０との間の１つまたは複数の先行するＲＲＣ接続に関係する要求されたモバイル端末に特有の無線リソース利用情報１１２をＲＡＮエンティティ３２０に信号送信することができ、これは、たとえば以前のトラフィック・プロファイルなど、モバイル端末に特有の無線リソース利用情報１１２に基づいて、ＤＲＸおよび／または休止タイマー値など、１つまたは複数のＲＲＭパラメータを適応させることができる。
【００４９】
確立されたＲＲＣ接続を介して最後のデータ・パケットが送信または受信された後、ワイヤレス通信ネットワーク、またはそのＲＲＭエンティティは、確立されたＲＲＣ接続を解放することができ、たとえば、適応された休止タイマーの期限が切れた後、モバイル端末はＲＲＣアイドル状態に移行する。このＲＲＣ接続の開放手順の一例を図３ｂに示している。
【００５０】
ＲＡＮエンティティ３２０からモバイル端末３１０にＲＲＣ接続解放メッセージ３２６を信号送信する前または後に、対応する最新の無線リソース利用情報２１２は、Ｓ１ネットワーク要素間のインターフェースを介して、コア・ネットワークのエンティティ３３０、たとえばＭＭＥ２００に信号送信することができる。ＲＲＣ接続解放メッセージ３２６の受信の後に、モバイル端末３１０は、ＲＲＣアイドル・モードに入る。追加のパケットが休止またはアイドル状態のモバイル・デバイスへの伝達を必要とする場合、新しいＲＲＣ接続が必要であり、図３ａによる信号送信プロセス３００を再び開始することができる。
【００５１】
無線リソース割り当ておよび／または無線管理に関するＵＥまたはモバイル端末に特有の情報１１２、２１２が、ネットワークで維持されるか、またはネットワークに提供される場合、この情報１１２、２１２は、モバイル端末がネットワークに次に接続される場合、無線リソースの最適な設定、したがって効率的なリソースの使用のために使用することができる。この概念は、現在のネットワークにおけるハンドオーバーの間のソース基地局からターゲット基地局への通信情報に似ている。
【００５２】
ＵＥまたはモバイル端末のプロファイル情報１１２、２１２を維持する有用性および無線構成を改善するためにそれをどのように使用できるかは、次の例に示すことができる。ＵＥの休止タイマーがｅＮｏｄｅＢでタイマーＴとして設定されるとしよう。ＵＥが時間Ｔの間、ユーザ・データを受信または送信していない場合、ネットワークは、ＵＥのＲＲＣ接続を解放する。そのため、ＵＥプロファイルもＲＲＣ接続解放でネットワークから解放される。しかし、ＲＲＣ接続が解放された後、ＵＥアプリケーションは、＆Ｔでいくらかのユーザ・データを生成する。ネットワークは、ＵＥのためにＲＲＣ接続を確立し、ネットワークで休止タイマーを始動する。ＵＥの停止期間Ｔの後、接続は解放される。ＵＥのソフトウェア・アプリケーションがＴ＋＆Ｔの周期でトラフィックを生成するので、接続解放の直後にＲＲＣ接続が必要である。しかし、ＵＥの以前の停止情報のＵＥプロファイルがネットワークに認識されている場合、ネットワークは、休止タイマーをＴ＋＆Ｔに設定し、したがって信号負荷を軽減することができる。
【００５３】
ネットワークでＵＥ／トラフィック・プロファイルまたは無線リソース利用情報１１２、２１２を格納する以外に、図４に概略的に示すように、前述の情報は、また、ＲＲＣ接続セットアップでモバイル端末からネットワークに提供することができる。
【００５４】
図４は、ワイヤレス・ネットワークのネットワーク要素３２０とＲＲＣ接続を確立するモバイル端末３１０を示している。ネットワーク要素３２０は、ＲＲＭエンティティ（図示せず）を含む、またはそれに結合された基地局の場合がある。本実施形態では、モバイル端末３１０は、ワイヤレス通信ネットワークの基地局３２０および／またはＲＲＭエンティティに、モバイル端末についての情報を提供するための装置１００を含むことができる。
【００５５】
そのような一実施形態では、情報１１２を提供するための手段１１０は、したがって、ＲＲＣ接続の確立時に、ＲＲＣ信号メッセージの少なくとも一部を介して、モバイル端末からワイヤレス通信ネットワークに、前述の情報１１２を提供するように動作可能な場合がある。その目的のために、情報１１２を提供するための手段１１０は、ワイヤレス無線信号の送信および／または受信のためにアナログおよび／またはデジタルの送受信装置の回路を含むことができる。さらに、情報１１２を提供するための手段１１０は、以前のＲＲＣ接続の解放時に、モバイル端末３１０のメモリ・デバイスに情報１１２、２１２を格納し、新しいＲＲＣ接続の確立時に、格納された情報１１２の少なくとも一部をワイヤレス通信ネットワークのネットワーク・エンティティ３２０に提供するように動作可能な場合がある。以前のＲＲＣ接続の解放時に、無線リソース利用情報１１２、２１２は、モバイル端末３１０で既に利用可能か、または対応するＲＲＣ信号メッセージを介してネットワークからモバイル端末に信号送信することができる。
【００５６】
図５ａは、モバイル端末３１０とＲＡＮエンティティ３２０との間の例示的なＲＲＣ接続確立のメッセージ・シーケンス図５００を示している。
【００５７】
ＲＲＣアイドル・モードにあるモバイル端末３１０がデータ・パケットを送信または受信する必要がある場合、モバイル端末３１０は、ＲＲＣ接続要求メッセージ３１２を用いてＲＲＣ接続を要求することができる。このＲＲＣ接続要求メッセージ３１２について、ＲＡＮエンティティ３２０は、ＲＲＣ接続セットアップ・メッセージ３２２で確認することができる。モバイル端末のＲＲＣ接続セットアップ完了メッセージ３１４の信号送信の前または後に、モバイル端末３１０は、ネットワークとモバイル端末３１０との間の先行するＲＲＣ接続に関係する以前に格納されたモバイル端末に特有の無線リソース利用情報１１２をＲＡＮエンティティ３２０に信号送信することができ、次にこれは、モバイル端末に特有の無線リソース利用情報１１２（たとえば以前のトラフィック・プロファイル）に基づいて、休止タイマー値またはＤＲＸプロファイルなど、１つまたは複数のＲＲＭパラメータを適応させることができる。図５ａは、無線リソース利用情報１１２が、ＲＲＣ接続セットアップ完了メッセージ３１４の後に信号送信される実施形態を示しているが、前述の情報１１２は、また、メッセージ３２２と３１４との間にＲＡＮエンティティ３２０に信号送信することができる。
【００５８】
最後のデータ・パケットが送信または受信された後、ワイヤレス通信ネットワーク、またはそのＲＲＭエンティティ３２０は、確立されたＲＲＣ接続を解放することができ、適応された休止タイマーの期限が切れた後、モバイル端末３１０はＲＲＣアイドル状態に移行する。可能なＲＲＣ接続の解放手順は図５ｂに示している。
【００５９】
ＲＡＮエンティティ３２０からモバイル端末３１０にＲＲＣ接続解放メッセージ３２４を信号送信する前または後に、対応する最新の無線リソース利用情報２１２、またはその部分は、また、ＲＡＮエンティティ３２０からモバイル端末３１０に信号送信することができる。前述の情報２１２の受信の後に、それはモバイル端末３１０に格納することができる。ＲＲＣ接続解放メッセージ３２４の受信の後に、モバイル端末３１０は、ＲＲＣアイドル・モードに入る。追加のパケットを休止またはアイドル状態のモバイル・デバイス３１０に伝達する必要がある場合、新しいＲＲＣ接続が必要であり、図５ａによる信号送信プロセスを再び開始することができる。図５ｂは、ＲＲＣ接続解放メッセージ３２４の後に無線リソース利用情報２１２が信号送信される実施形態を示しているが、前述の情報２１２は、また、メッセージ３２６の前にモバイル端末に信号送信することができる。あるいは、情報２１２は、また、モバイル端末３１０で利用可能な場合があるため、ネットワークからの信号送信は必要ない。
【００６０】
本発明の他の実施形態によると、モバイル端末３１０に位置する手段１１０は、モバイル端末３１０とワイヤレス通信ネットワークとの間の新しいＲＲＣ接続の確立時に、モバイル端末３１０で実行されているアプリケーション・ソフトについての情報に基づいて情報１１２を提供するように動作可能な場合がある。よって、無線リソース利用の推定１１２は、ＲＲＣ接続セットアップでモバイル端末で現在実行されているアプリケーションによって引き起こされた、期待されるデータ・トラフィック・プロファイルに基づいてモバイル端末で決定することができる。この目的のために、モバイル端末は、実行されているアプリケーションに基づいて、期待されるデータ・トラフィック・プロファイルの推定を決定するように適応することができる。また、そのような推定される無線リソース利用情報１１２は、図４および図５ａに関して記述したように、ネットワークに信号送信することができる。しかし、図５ｂに関して記述したように、この概念は、ＲＲＣ接続が解放されるときに、ネットワークからモバイル端末３１０への逆方向信号を必要としない。この意味で、後者の概念は、一方では正確さが劣るが、他方ではＲＲＣ接続の解放時に引き起こされるＲＲＣ信号がより少ない。
【００６１】
要約：ＵＥ／トラフィック・プロファイル情報の格納に関して、本発明の実施形態は、複数の代替案を提供する。
−  ＲＲＣ接続の解放時にネットワークでＵＥ／トラフィック・プロファイルを格納する。接続の解放時に、ＵＥ／トラフィック・プロファイルはＭＭＥに送られ、ＭＭＥで格納される。ＵＥのＲＲＣ接続の確立時に、（ＵＥが接続されている）ｅＮｏｄｅＢは、対応するＭＭＥからＵＥに特有のＵＥ／トラフィック・プロファイルを取得する。
−  ＲＲＣ接続の解放時に、ＵＥ／トラフィック・プロファイルはＵＥに格納される。ＲＲＣ接続の確立時に、ＵＥは、格納されたＵＥ／トラフィック・プロファイル情報をｅＮｏｄｅＢに送る。情報は、ＵＥについて無線リソースの最適な構成のためにｅＮｏｄｅＢによって使用することができる。
−  ＵＥは、その時間に実行されているアプリケーションについての情報およびそれらのトラフィック・パターンに基づいてＲＲＣ接続の確立で、期待されるトラフィック・プロファイルを提供する。
【００６２】
ネットワークで情報を格納する場合、ＵＥ／トラフィック・プロファイル（たとえば、最後に使用されるＤＲＸ構成、無線リソース構成、ＵＥ停止時間など）は、ＲＲＣ接続の解放時にＭＭＥに信号送信することができる。これは、ｅＮｏｄｅＢからＭＭＥにＳ１インターフェースを通じて透過的なコンテナで信号送信することができる。情報は、ＭＭＥに格納することができる。ＵＥのＲＲＣ接続確立で、ＭＭＥは、ＵＥが接続されている、対応するｅＮｏｄｅＢに情報を転送することができる。
【００６３】
ネットワークに情報を格納することには、以下の長所がある。
−  ネットワーク信号だけが必要であるため、ＵＥまたはエア・インターフェースへの修正はない。
−  ＲＲＣ接続開放前に、ネットワークで認識されている情報を格納することができる。
−  方法は、ネットワーク信号送信しか含まないため、ＵＥに影響を与えることなく、格納する追加のパラメータを導入することが可能である（柔軟性）。
【００６４】
他の可能性は、ＵＥに必要な情報を格納し、ＲＲＣ接続の確立時にｅＮｏｄｅＢに格納された情報を提供することである。この方法は、ＲＲＣ接続の確立時にＵＥからネットワークに情報を伝達するために、無線インターフェースを通じた新しいＲＲＣ信号送信を必要とする。
【００６５】
さらに他の可能性は、ＵＥがＲＲＣ接続の確立において、ネットワークに期待されるトラフィック・プロファイルを提供するということである。この情報は、その時間に実行されているアプリケーションについての情報に基づいて生成することができる。これは、ＵＥからネットワークに情報を伝達するために、無線インターフェースを通じた新しいＲＲＣ信号が必要という点で、以前の解決策に似ている。
【００６６】
発明の概念では、最適な無線リソース構成および無線リソース管理が可能になる。これは、多様なデータ・アプリケーションを用いる多数の高性能ＵＥをネットワークでサポートする必要がある場合に特に重要である。概念は、効率的なリソース割り当て、ＵＥ電力の節約、信号負荷の軽減を実現することができる。
【００６７】
記述および図面は、単に本発明の原理を示すものである。本明細書に明示的に記述して示していないが、本発明の原理を具体化し、その精神および範囲に含まれる様々な配置を当業者であれば考案できることを理解されるだろう。さらに、本明細書に詳述したすべての例は、原則として、読者が本発明の原理、およびその技術を推進する発明者（ら）によって提供された概念を理解するのを支援するために、教育のみを目的とすることを明確に意図するものであり、そのような具体的には詳述された例および条件に限定しないものとして解釈するべきである。さらに、本明細書において、本発明の原理、態様、および実施形態を詳述するすべての記述、およびその特定の例は、その等価物を包含することを意図するものである。
【００６８】
（特定の機能を実行する）「・・・ための手段」として示された機能ブロックは、それぞれ特定の機能を実行するために適応された回路を含む機能ブロックとして理解するものとする。たとえば、情報を提供するための手段１１０は、情報提供回路を含む。よって、「何か（ｓ．ｔｈ）のための手段」は、「何かのために適応された、または何か適している手段」として理解するべきである。よって、特定の機能を実行するために適応された手段は、そのような手段が前述の機能を（所定の瞬間に）必ずしも実行していることを意味しない。
【００６９】
任意の機能ブロックを含む、図に示す様々な要素の機能は、プロセッサなどの専用ハードウェア、および適切なソフトウェアと連携してソフトウェアを実行する機能を持つハードウェアの利用を通じて提供することができる。プロセッサによって提供される場合、機能は、単一の専用プロセッサによって、単一の共有プロセッサによって、またはその一部を共有できる、複数の個々のプロセッサによって提供することができる。さらに、「プロセッサ」または「コントローラ」という用語の明示的な使用は、ソフトウェアを実行できるハードウェアを排他的に指すものと解釈するべきではなく、デジタル・シグナル・プロセッサ（ＤＳＰ）ハードウェア、ネットワーク・プロセッサ、特定用途向けＩＣ（ＡＳＩＣ）、フィールド・プログラマブル・ゲートアレイ（ＦＰＧＡ）、ソフトウェアを格納するための読み取り専用メモリ（ＲＯＭ）、ランダム・アクセス・メモリ（ＲＡＭ）、および不揮発性記憶装置を限定することなく、暗黙的に含むことができる。従来型および／またはカスタムの他のハードウェアも含むことができる。
【００７０】
本明細書に示すブロック図は、本発明の原理を具体化する実例となる回路についての概念的な視点を表していることは当業者には自明であろう。同様に、そのようなコンピュータまたはプロセッサが明示的に示されているかどうかに関わりなく、任意のフローチャート、流れ図、状態遷移図、擬似コードなどは、コンピュータ可読媒体において本質的に表され、したがって、コンピュータまたはプロセッサによって実行できる様々なプロセスを表していることを理解されるだろう。
【００７１】
さらに、以下の請求項は、これによって詳細な説明に組み込まれ、各請求項は、それ自体で個別の実施形態として有効である。各請求項が個別の実施形態として有効であるが、特許請求の範囲において、従属請求項は１つまたは複数の他の請求項との特定の組み合わせを言及する場合があるが、他の実施形態は、また、他の各従属請求項の主題との従属請求項の組み合わせを含むことができることに注意されたい。特定の組み合わせを意図しないと述べられていない限り、そのような組み合わせは本明細書で提案されている。さらに、この請求項が独立請求項に直接的に依存しない場合でも、他の独立請求項に請求項の特徴を含めることを意図する。
【００７２】
明細書または特許請求の範囲に開示された方法は、これらの方法のそれぞれのステップのそれぞれを実行するための手段を持つデバイスによって実装できることに注意されたい。
【００７３】
さらに、明細書または請求項で開示された複数のステップまたは機能の開示は、特定の順序であるものと解釈されないことを理解されるだろう。したがって、そのようなステップまたは機能が技術的な理由から交換可能ではない限り、複数のステップまたは機能の開示によって、これらを特定の順序に制限するものではない。さらに、一部の実施形態では、単一のステップは、複数のサブステップを含むことも、または複数のサブステップに分解することもできる。そのようなサブステップは、明示的に除外されていない限り、この単一のステップの開示に含めることができ、またその一部となることができる。
【図１】
0005995994.tif 000002
【図２】
0005995994.tif 000003
【図３ａ】
0005995994.tif 000004
【図３ｂ】
0005995994.tif 000005
【図４】
0005995994.tif 000006
【図５ａ】
0005995994.tif 000007
【図５ｂ】
0005995994.tif 000008